(57)【要約】【課題】操作性の向上を図ることができるウェアラブル機器を提供する。【解決手段】ウェアラブル機器は、表示部と、操作ユニットと、表示制御部とを具備する。表示部は、階層毎に分類された複数の画像を切り替え表示するように構成される。操作ユニットは、第１の階層に属する第１の画像から、第１の画像に関連し第１の階層よりも下の第２の階層に属する第２の画像を表示部に表示させる操作イベントが入力されるように構成される。表示制御部は、第１の表示制御モードと第２の表示制御モードとを選択的に実行するように構成される。第１の表示制御モードは、操作イベントに基づいて、第１の画像に関連しない第３の画像から第２の画像を第１の画像を介して表示部に表示させる。第２の表示制御モードは、第２の画像へのアクセスを促す制御信号を受信したときに、第３の画像から第２の画像を第１の画像を介さずに表示部に表示させることを可能とする。【選択図】図６
2015158753.tif 000002
【特許請求の範囲】
【請求項１】
階層毎に分類された複数の画像を切り替え表示するように構成された表示部と、
第１の階層に属する第１の画像から、前記第１の画像に関連し前記第１の画像よりも下位の第２の階層に属する第２の画像を前記表示部に表示させる操作イベントが入力されるように構成された第１の操作部を有する操作ユニットと、
前記第２の画像へのアクセスを促す制御信号を受信することが可能に構成された受信部と、
前記操作イベントに基づいて前記第１の画像に関連しない第３の画像から前記第２の画像を前記第１の画像を介して前記表示部に表示させる第１の表示制御モードと、前記制御信号を受信したときに前記第３の画像から前記第２の画像を前記第１の画像を介さずに前記表示部に表示させることを可能とする第２の表示制御モードとを選択的に実行するように構成された表示制御部と
を具備するウェアラブル機器。
【請求項２】
請求項１に記載のウェアラブル機器であって、
前記操作ユニットは、入力操作により前記制御信号を生成する第２の操作部をさらに有し、
前記表示制御部は、前記第２の操作部の入力操作時に前記所定の階層に属する画像を前記表示部に表示させるように構成される
ウェアラブル機器。
【請求項３】
請求項２に記載のウェアラブル機器であって、
前記第２の操作部により操作可能な撮像部をさらに具備し、
前記表示制御部は、前記第２の操作部の入力操作に基づいて、前記撮像部の操作画面を前記表示部に表示させるように構成される
ウェアラブル機器。
【請求項４】
請求項１に記載のウェアラブル機器であって、
前記受信部は、前記制御信号を外部機器から受信することが可能に構成され、
前記表示制御部は、前記制御信号を受信したときに前記表示部に所定の通知画像を表示させるように構成される
ウェアラブル機器。
【請求項５】
請求項４に記載のウェアラブル機器であって、
前記表示制御部は、前記所定の通知画像が表示された状態で所定の操作イベントの入力を受けたとき、前記通知画像に関連する画面を前記表示部に表示させるように構成される
ウェアラブル機器。
【請求項６】
階層毎に分類された複数の画像を切り替え表示するように構成された表示部を有するウェアラブル機器を制御するための制御装置であって、
第１の階層に属する第１の画像から、前記第１の画像に関連し前記第１の画像よりも下位の第２の階層に属する第２の画像を前記表示部に表示させる操作イベントが入力されるように構成された第１の操作部を有する操作ユニットと、
前記第２の画像へのアクセスを促す制御信号を受信することが可能に構成された受信部と、
前記操作イベントに基づいて前記第１の画像に関連しない第３の画像から前記第２の画像を前記第１の画像を介して前記表示部に表示させる第１の表示制御モードと、前記制御信号を受信したときに前記第３の画像から前記第２の画像を前記第１の画像を介さずに前記表示部に表示させることを可能とする第２の表示制御モードとを選択的に実行するように構成された表示制御部と
を具備する制御装置。
【請求項７】
請求項６に記載の制御装置であって、
前記操作ユニットは、入力操作により前記制御信号を生成する第２の操作部をさらに有し、
前記表示制御部は、前記第２の操作部の入力操作時に前記所定の階層に属する画像を前記表示部に表示させるように構成される
制御装置。
【請求項８】
請求項６に記載の制御装置であって、
前記操作ユニットは、側周面の一部に切欠き部を有する筐体をさらに有し、
前記第１の操作部は、前記切欠き部に配置された静電容量センサで構成され、
前記第２の操作部は、前記筐体の側周面に配置された複数の入力キーを含む
制御装置。
【請求項９】
請求項８に記載の制御装置であって、
前記複数の入力キーは、前記ウェアラブル機器に搭載された撮像部を動作させる入力ボタンを含む
制御装置。
【発明の詳細な説明】
【技術分野】
【０００１】
本技術は、画像を表示することが可能な表示部を有するウェアラブル機器および制御装置に関する。
【背景技術】
【０００２】
表示部に複数の画像を順番に表示することが可能な電子機器が知られている。例えば特許文献１には、所定のグループの代表画像に対するユーザの所定の操作を検出したとき、上記代表画像とともに当該グループに属する複数のサムネイル画像を表示するように構成された電子機器が記載されている。
【先行技術文献】
【特許文献】
【０００３】
【特許文献１】特開２０１１−２１０１３８号公報
【発明の概要】
【発明が解決しようとする課題】
【０００４】
しかしながら、特定の画像を表示させたいときに当該画像に属するグループの代表画像からアクセスする必要があるため、操作性が低いという問題がある。
【０００５】
以上のような事情に鑑み、本技術の目的は、操作性の向上を図ることができるウェアラブル機器および制御装置を提供することにある。
【課題を解決するための手段】
【０００６】
本技術の一形態に係るウェアラブル機器は、表示部と、操作ユニットと、受信部と、表示制御部とを具備する。
上記表示部は、階層毎に分類された複数の画像を切り替え表示するように構成される。
上記操作ユニットは、第１の操作部を有する。上記第１の操作部は、第１の階層に属する第１の画像から、上記第１の画像に関連し上記第１の階層よりも下位の第２の階層に属する第２の画像を上記表示部に表示させる操作イベントが入力されるように構成される。
上記受信部は、上記第２の画像へのアクセスを促す制御信号を受信することが可能に構成される。
上記表示制御部は、第１の表示制御モードと第２の表示制御モードとを選択的に実行するように構成される。上記第１の表示制御モードは、上記操作イベントに基づいて、上記第１の画像に関連しない第３の画像から上記第２の画像を上記第１の画像を介して上記表示部に表示させる。上記第２の表示制御モードは、上記制御信号を受信したときに、上記第３の画像から上記第２の画像を上記第１の画像を介さずに上記表示部に表示させることを可能とする。
【０００７】
上記ウェアラブル機器によれば、特定の画像をシンプルな操作で容易に表示させることができるため、操作性の向上を実現することができる。
【０００８】
上記操作ユニットは、入力操作により上記制御信号を生成する第２の操作部をさらに有してもよい。上記表示制御部は、上記第２の操作部の入力操作時に上記所定の階層に属する画像を上記表示部に表示させるように構成される。
【０００９】
上記ウェアラブル機器は、上記第２の操作部により操作可能な撮像部をさらに具備してもよい。上記表示制御部は、上記第２の操作部の入力操作に基づいて、上記撮像部の操作画面を上記表示部に表示させるように構成される。
【００１０】
上記受信部は、上記制御信号を外部機器から受信することが可能に構成されてもよい。上記表示制御部は、上記制御信号を受信したときに上記表示部に所定の通知画像を表示させるように構成される。
【００１１】
上記表示制御部は、上記所定の通知画像が表示された状態で所定の操作イベントの入力を受けたとき、上記通知画像に関連する画面を上記表示部に表示させるように構成されてもよい。
【００１２】
本技術の一形態に係る制御装置は、階層毎に分類された複数の画像を切り替え表示するように構成された表示部を有するウェアラブル機器を制御するための制御装置であって、操作ユニットと、受信部と、表示制御部とを具備する。
上記操作ユニットは、第１の操作部を有する。上記第１の操作部は、第１の階層に属する第１の画像から、上記第１の画像に関連し上記第１の階層よりも下位の第２の階層に属する第２の画像を上記表示部に表示させる操作イベントが入力されるように構成される。
上記受信部は、上記第２の画像へのアクセスを促す制御信号を受信することが可能に構成される。
上記表示制御部は、第１の表示制御モードと第２の表示制御モードとを選択的に実行するように構成される。上記第１の表示制御モードは、上記操作イベントに基づいて、上記第１の画像に関連しない第３の画像から上記第２の画像を上記第１の画像を介して上記表示部に表示させる。上記第２の表示制御モードは、上記制御信号を受信したときに。上記第３の画像から上記第２の画像を上記第１の画像を介さずに上記表示部に表示させることを可能とする。
【００１３】
上記制御装置において、上記操作ユニットは、入力操作により上記制御信号を生成する第２の操作部をさらに有してもよい。上記表示制御部は、上記第２の操作部の入力操作時に上記所定の階層に属する画像を上記表示部に表示させるように構成される。
【００１４】
上記操作ユニットは、側周面の一部に切欠き部を有する筐体をさらに有してもよい。上記第１の操作部は、上記切欠き部に配置された静電容量センサで構成され、上記第２の操作部は、上記筐体の側周面に配置された複数の入力キーを含む。
【発明の効果】
【００１５】
以上のように、本技術によれば、操作性の向上を図ることができる。
なお、ここに記載された効果は必ずしも限定されるものではなく、本開示中に記載されたいずれかの効果であってもよい。
【図面の簡単な説明】
【００１６】
【図１】本技術に係る情報処理システムの構成を示す図である。
【図２】上記システムにおける各機器の構成を示すブロック図である。
【図３】上記システムにおけるコントロールボックスの外観を示す側面図および斜視図である。
【図４】上記コントロールボックスの操作入力例を説明する図である。
【図５】上記システムにおける携帯端末およびコントロールボックスにそれぞれ搭載されるソフトウェアの構成を示す図である。
【図６】上記システムにおけるウェアラブル機器に表示される画面の階層構造を説明する図である。
【図７】上記コントロールボックスの機能ブロック図である。
【図８】上記コントロールボックスの機能を説明する模式図である。
【図９】上記表示部に表示されるカード画面の切り替えの動作を説明する図である。
【図１０】上記表示部に表示されるカード画面の切り替えの動作を説明する図である。
【図１１】上記ウェアラブル機器に表示される代表的な画面遷移例を示す図である。
【図１２】上記ウェアラブル機器に表示される代表的な画面遷移例を示す図である。
【図１３】上記ウェアラブル機器に表示される代表的な画面遷移例を示す図である。
【図１４】上記ウェアラブル機器に表示される代表的な画面遷移例を示す図である。
【図１５】上記ウェアラブル機器に表示される代表的な画面遷移例を示す図である。
【図１６】上記ウェアラブル機器に表示される代表的な画面遷移例を示す図である。
【図１７】上記ウェアラブル機器に表示される代表的な画面遷移例を示す図である。
【図１８】上記ウェアラブル機器に表示される代表的な画面遷移例を示す図である。
【図１９】上記ウェアラブル機器に表示される代表的な画面遷移例を示す図である。
【図２０】上記ウェアラブル機器に表示される代表的な画面遷移例を示す図である。
【図２１】上記ウェアラブル機器に表示される代表的な画面遷移例を示す図である。
【図２２】上記ウェアラブル機器に表示される代表的な画面遷移例を示す図である。
【図２３】上記ウェアラブル機器に表示される代表的な画面遷移例を示す図である。
【図２４】上記ウェアラブル機器に表示される代表的な画面遷移例を示す図である。
【図２５】上記ウェアラブル機器に表示される代表的な画面遷移例を示す図である。
【図２６】上記ウェアラブル機器に表示される代表的な画面遷移例を示す図である。
【図２７】上記ウェアラブル機器に表示される代表的な画面遷移例を示す図である。
【発明を実施するための形態】
【００１７】
以下、本技術に係る実施形態を、図面を参照しながら説明する。
【００１８】
［ウェアラブル機器を用いた情報処理システムの全体構成］
図１は、本技術に係る情報処理システムの構成を示す。
【００１９】
このシステム１００は、主に、携帯端末３０、電子機器としてのウェアラブル機器（ウェアラブルディスプレイ）７０、およびこのウェアラブル機器７０を制御する制御装置として機能するコントロールボックス５０を含む。
【００２０】
携帯端末３０は、情報処理装置として機能し、典型的にはスマートホン等の携帯電話機である。携帯端末３０は、タブレット機器、その他ＰＣ（Personal Computer）であってもよい。
【００２１】
ウェアラブル機器７０は、図に示すようにヘッドマウント型のものであるが、これに限られず、例えばリストバンド型やネックバンド型のものであってもよい。
【００２２】
携帯端末３０は、クラウドシステム１０に接続可能に構成されている。クラウドシステム１０は、例えばインターネット等の電気通信回線網に接続されたサーバコンピュータ等を含む。
【００２３】
コントロールボックス５０は、典型的には、ウェアラブル機器７０に有線により接続されている。ユーザは、ウェアラブル機器７０を頭部に装着し、コントロールボックス５０を手指により操作することにより、ウェアラブル機器７０を操作することができる。
【００２４】
［各機器の構成］
図２は、本システム１００の各機器の構成を示すブロック図である。
【００２５】
（クラウドシステム）
クラウドシステム１０内の例えばサーバコンピュータは、ＣＰＵ１１、メモリ１２、および携帯端末３０と通信可能に構成された広域通信部１３を有する。
【００２６】
（携帯端末）
携帯端末３０（例えばスマートホン）は、主に、ＣＰＵ（Central Processing Unit）３１、メモリ３２、タッチパネル／表示部３５、広域通信部３３、および局域通信部３４を有する。また、携帯端末３０は、その他、モーションセンサやカメラ等を含む各種センサ３７、ＧＰＳ（Global Positioning System）受信部３６、オーディオデバイス部３８、バッテリ３９等を有する。少なくとも携帯端末３０（または、携帯端末３０およびクラウドシステム１０）は、ウェアラブル機器７０の外部機器として機能する。
【００２７】
広域通信部３３は、例えば３Ｇ（Third Generation）やＬＴＥ（Long Term Evolution）等の通信システムにより通信可能に構成される。局域通信部３４は、例えばWiFi等の無線ＬＡＮ（Local Area Network）通信システム、および／または、Bluetooth（登録商標）、赤外線等の短距離無線通信システムにより通信可能に構成される。局域通信部３４は、コントロールボックス５０との間の「受信部」や「送信部」として機能する。
【００２８】
携帯端末３０は、局域通信部３４とは別に、例えばＲＦＩＤ（Radio Frequency IDentification）等の、いわゆる近距離無線通信システム（ＮＦＣ：Near Field Communication）を利用する個体識別デバイスを有していてもよい。
【００２９】
オーディオデバイス部３８は、マイクロフォンおよびスピーカを含む。
【００３０】
（ウェアラブル機器）
ウェアラブル機器７０は、ユーザの頭部に装着可能に構成された装着ユニット７０１を有する。装着ユニット７０１は、表示部７１、各種のセンサ７２〜７５、カメラ７８等を有する。
【００３１】
表示部７１は、図１に示すように、例えばヘッドマウント型のウェアラブル機器７０のフレーム７６の左右に配置される小型のプロジェクタである。このヘッドマウント型のウェアラブル機器７０では、各プロジェクタから出射された同一または視差を持つ画像光が導光板７７でガイドされ、導光板７７の所定領域からユーザの眼球に向けて出射されるようになっている。
【００３２】
なお、ウェアラブル機器７０では、左右のうち一方にのみ表示部７１が設けられていてもよい。ウェアラブル機器７０は、プロジェクタタイプのものに限られず、眼球に直接画像光を照射するタイプの表示部７１を備えていてもよい。
【００３３】
ウェアラブル機器７０の各種のセンサとしては、例えば、地磁気センサ７２、ジャイロセンサ７３、加速度センサ７４、照度センサ７５等がある。ウェアラブル機器７０には、視界方向（方位あるいは仰俯角）を検出するセンサ等が搭載されてもよい。
【００３４】
ジャイロセンサ７３（角速度センサ）および加速度センサ７４は、装着ユニット７０１の空間内における動きを検出するモーションセンサとして構成される。
【００３５】
カメラ７８は、静止画あるいは動画を撮影可能な撮像部を構成する。カメラ７８は、装着ユニット７０１に搭載され、本実施形態では左右の表示部７１の間に配置される（図１）。なお、カメラ７８の搭載位置は上述の例に限られない。
【００３６】
カメラ７８は、静止画および動画を撮影可能であり、ユーザの操作に基づく通常撮影モードのほか、所定時間毎に静止画を自動的に撮影するインターバル撮影モードで駆動されることが可能に構成される。
【００３７】
（コントロールボックス）
コントロールボックス５０は、ＣＰＵ５１、メモリ５２（記憶部）、局域通信部５４、入力キー５３、タッチパネル５５、オーディオデバイス部５８、バッテリ５９等を有する。
【００３８】
コントロールボックス５０は、ウェアラブル機器７０の付属機器（例えば、ウェアラブル機器７０の一部）として構成されてもよいし、ウェアラブル機器７０とは独立したコントローラとして構成されてもよい。コントロールボックス５０は、ウェアラブル機器７０の表示部７１に表示される画像の表示を切り替えるための「操作ユニット」として機能する。
【００３９】
ＣＰＵ５１は、コントロールボックス５０内およびウェアラブル機器７０内の各部を統括的に制御する。コントロールボックス５０は、ＣＰＵ５１の代わりに、ＦＰＧＡ（Field Programmable Gate Array）等のＰＬＤ（Programmable Logic Device）を備えていてもよい。
【００４０】
局域通信部５４は、携帯端末３０の局域通信部３４と、上記した通信システムにより通信可能に構成される。局域通信部５４は、携帯端末３０との間の「受信部」や「送信部」として機能する。
【００４１】
入力キー５３およびタッチパネル５５は、ウェアラブル機器７０の「操作ユニット」を構成する。
【００４２】
入力キー５３は、コントロールボックス５０に配置された、ユーザにより操作される１以上の物理キーである。入力キー５３は、例えば電源キー、バックキー、表示部７１のON/OFFキー、カメラ７８のシャッタボタン等を含む。入力キー５３は、ウェアラブル機器７０の「第２の操作部」として構成される。
【００４３】
タッチパネル５５、コントロールボックス５０の表面に配置された（図１参照）、ユーザにより操作される操作デバイスである。タッチパネル５５は、静電容量センサで構成される。タッチパネル５５は、ウェアラブル機器７０の「第１の操作部」として構成される。
【００４４】
オーディオデバイス部５８は、マイクロフォンおよびスピーカを含む。
【００４５】
コントロールボックス５０は、局域通信部５４とは別に、例えば上述したＲＦＩＤ等の近距離無線通信システムを利用する通信デバイスを有していてもよい。これにより、ユーザは、携帯端末３０内の所定のアプリケーションソフトウェアを起動し、携帯端末３０をコントロールボックス５０に接近させることにより、ほぼ自動的にこれらの機器をペアリングすることができる。
【００４６】
また例えば、ユーザが携帯端末３０をコントロールボックス５０に接近させることにより、携帯端末３０は、これらをペアリングするためのアプリケーションソフトウェアを、ほぼ自動的にクラウドからダウンロードしてこれがインストールされるようにすることもできる。
【００４７】
もちろん、コントロールボックス５０は、このような近距離無線通信用のデバイスを有していない場合でも、局域通信部５４を用いて携帯端末３０とペアリングが可能である。
【００４８】
図３は、コントロールボックス５０の一構成例を示す図であり、図３上段は一方側から見た側面図、図３下段は他方側から見た斜視図である。
【００４９】
コントロールボックス５０は、側周部の一部に切欠き部５０２が形成された所定厚みの円盤形状の筐体５０１を有する。筐体５０１の大きさは特に限定されないが、典型的には、ユーザが片手で把持できる大きさとされる。切欠き部５０２は、筐体５０１の中心に向かって凸なる円弧形状を有し、その円弧状の曲面部がタッチパネル５５として構成される。
【００５０】
この例では円盤形状の一部に切欠き部を形成しているが、ユーザが切欠き部を認識できれば元の形状は円盤形状には限られない。例えば正方形（もしくは長方形）の１つの角に切欠き部を形成してもよいし、１つの辺に筐体の中心に向かって凸なる円弧形状を有する切欠き部を形成したものでもよい。
【００５１】
筐体５０１の側周部には、カメラボタン（シャッタボタン）５０３、バックボタン（バックキー）５０４、トークボタン５０５が配置されている。これらのボタンは、切欠き部５０２の近傍の側周部にそれぞれ単列で配置されているが、位置や配列形態は勿論これに限られない。
【００５２】
一方、筐体５０１の一側面部には、電源ボタン（電源キー）５０６、ディスプレイボタン（ON/OFFキー）５０７等が配置されている。これらのボタンは、筐体５０１の縁部に沿って、カメラボタン５０３やバックボタン５０４の近傍に配置されているが、位置や配列形態は勿論これに限られない。電源ボタン５０６は、戻しバネ付きのスライドスイッチで構成され、一端側へのスライド操作の繰り返しにより電源のON／OFFが可能となるように構成されている。このことにより、ユーザが誤って電源をON／OFFすることを防止することができる。なお電源ボタン５０６は一端側へのスライド操作で電源ＯＮ、他端側へのスライド操作で電源ＯＦＦとなるように構成され、両端でホールド機能が得られるように構成されていてもよい。
【００５３】
筐体５０１の側周部には、筐体５０１の中心部から放射状に延びる突出片５０８が設けられている。突出片５０８は、ユーザが筐体５０１を把持したときに、人差し指と中指との間に位置する。例えば、これらの指で突出片５０８を挟持することによっても筐体５０１を保持することが可能となるため、各種ボタンの操作性が高められる。
【００５４】
また筐体５０１の側周部以外の面には、ユーザの衣服の胸ポケットなどに装着するためのクリップを設けてもよい。これにより携帯性が向上するとともに、衣服に装着したまま操作することも可能となる。
【００５５】
また、タッチパネル５５は、切欠き部５０２で切り欠かれた筐体５０１の周面に設けられており、タップ操作、切欠き部５０２の周方向に沿ったスワイプ操作等を静電的に検出するように構成される。さらにタッチパネル５５が上記形状の切欠き部５０２の形成領域に形成されているため、切欠き部５０２の両端に２つのエッジ部５０２１，５０２２が形成される。これにより、ユーザは、タッチパネル５５を目視することなく指触りでタッチパネル５５の位置を認識できることになり、操作性をより向上させることができる。
【００５６】
一般的なタッチパネルでは操作面の端部に比較的大きな非検出領域が設けられているが、タッチパネル５５は操作面が小さいためエッジ部５０２１、５０２２まで全面が検出領域となるように構成することで操作性を向上させている。なおエッジ部５０２１、５０２２の近傍領域を除く操作面の例えば９０％以上の領域を検出領域とするように構成してもよい。
【００５７】
（タッチパネルを用いた操作例）
図４は、コントロールボックス５０の操作例（操作イベントの入力例）を説明する図である。
【００５８】
図４上段は、タッチパネル５５に対するタップ操作（あるいはロングタップ操作）を示している。タップ操作は、典型的には、タッチパネル５５の中央部（切欠き部５０２の底部）を所定時間以下だけタッチ操作することで入力される。タップ操作の判定領域は、タッチパネル５５の全面であってもよいし、一部の領域（例えばエッジ部５０２１，５０２２の近傍領域を除く領域、例えば操作面の８０％以下の領域）であってもよい。
【００５９】
例えば、表示部７１に表示されている画面（画像）の選択やアプリケーションの起動、上位階層から下位階層への移動に、タップ操作が要求される。
【００６０】
図下段は、タッチパネル５５に対するスワイプ操作を示している。スワイプ操作は、典型的には、タッチパネル５５の中央部からタッチパネル５５に触れた状態でエッジ部５０２１あるいはエッジ部５０２２側へ移動させることで入力される。スワイプ操作の判定領域は、典型的には、タッチパネル５５の全面とされ、最初のタッチ位置からリリース位置までの距離が所定以上である場合に有効とされる。
【００６１】
スワイプ操作は、例えば、表示部７１に表示される画像の切り替えに用いられ、スワイプ方向によって画面の切り替え方向が対応付けられている。また、スワイプ後、リリースすることなく所定時間タッチ操作を継続することにより、画面の切り替えが連続的に切り替えられる（スクロール操作）。このとき、スワイプ距離に応じてスクロールの速さが可変とされる。画面の切り替え方向は特に限定されず、画像の配列方向によって設定され、典型的には左右方向あるいは上下方向とされる。
【００６２】
なお、同一画面内におけるスクロール操作する場合は、タッチパネル５５を所定時間タッチした後、リリースすることなくスワイプ操作する。この操作は、画面内に掲載された文字情報やメッセージを読むときに用いられる。
【００６３】
（入力キーを用いた操作例）
カメラボタン５０３は、カメラ７８を用いた画像の撮影時（例えば、シャッタ操作、録画開始／終了操作）に使用される。また所定条件下において、入力操作時にカメラ画面に移行するように構成されてもよい。
【００６４】
バックボタン５０４は、表示部７１に表示されている画面（画像）をより上位の階層に戻すときに使用される。バックボタン５０４はまた、長押したときに表示画面をホーム画面（例えば最上位階層の最初に表示される画面）に復帰させる。
【００６５】
トークボタン５０５は、音声入力画面において使用され、入力操作時に、内蔵するオーディオデバイス部５８（特にマイクロフォン）が起動するように構成される。
【００６６】
電源ボタン５０６は、ウェアラブル機器７０への電源ＯＮまたはＯＦＦ時に操作される。電源ＯＮの操作に連動して、携帯端末３０とのペアリング処理を実行させてもよい。
【００６７】
ディスプレイボタン５０７は、表示部７１への画像表示のＯＮまたはＯＦＦ時に操作される。
【００６８】
［ソフトウェアの構成］
図５は、携帯端末３０およびコントロールボックス５０にそれぞれ搭載されるソフトウェアの構成を示す。
【００６９】
携帯端末３０は、一般のアプリケーションソフトウェア（以下、単に「アプリ」という。）２６およびコンパニオンアプリ２５をメモリ３２内に格納している。これらのアプリ２５、２６は、携帯端末３０にデフォルトでインストールされたＯＳ（Operating System）上で動作するように構成される。
【００７０】
一般のアプリ２６の種類としては、例えば、ミニブログや交流サイト等のＳＮＳ（Social Networking Service）アプリ、音声認識アプリ、カメラアプリ、メディア再生、ニュース、天気予報サービス等がある。
【００７１】
コンパニオンアプリ２５は、これらのアプリ２６上のデフォルトデータやユーザデータを、ウェアラブル機器７０の表示部７１に表示可能な形式のデータに変換する機能を有する。携帯端末３０は、例えば、コンパニオンアプリ２５をクラウドシステム１０からダウンロードすることにより、コンパニオンアプリ２５がこの携帯端末３０にインストールされる。
【００７２】
コントロールボックス５０は、ペアリング後にコンパニオンアプリ２５と協働するファームウェア４５をメモリ５２内に有する。ファームウェア４５には、カメラ７８を動作させるカメラアプリや、後述する設定画面での設定アプリ等がデフォルトでインストールされている。
【００７３】
［ウェアラブル機器で表示される画面例および本システムの動作例］
（画面の階層構成）
図６は、表示部７１に表示されることが可能な画面（画像）の階層構造を示す概念図である。
【００７４】
画面は階層毎に分類されており、図示の例では、第１の階層ＬＡと、第２の階層ＬＢと、第３の階層ＬＣとを有する。第１の階層ＬＡは最上位の階層であり、第２の階層ＬＢは、第１の階層ＬＡに属する所定の画面の下位の階層である。第１の階層ＬＡは、アプリケーションの選択環境を構成するＵＩ（User Interface）の集合体に相当し、第２および第３の階層ＬＢ，ＬＣは、アプリケーションの操作環境を構成するＵＩの集合体に相当する。
【００７５】
図６に示すように、ウェアラブル機器７０の電源が投入されると、電源ＯＦＦ時の無表示画面Ｌ０から第１の階層ＬＡに遷移する。第１の階層ＬＡには、画面（Ａ１）〜（Ａｎ）のｎ個（ｎは自然数、以下同じ。）の画面が属し、画面（Ａ１）が第１の階層ＬＡにおいて最初に表示されるホーム画面を構成する。そして、コントロールボックスに対する上記スワイプ操作によって、画面（Ａ１）から画面（Ａｎ）まで順次画面が切り替えられるように構成される。
【００７６】
第２の階層ＬＢは、第１の階層ＬＡに属する個々の画面毎に分類された複数の階層で構成される。例えば、画面（Ａ２）は第２の階層ＬＢ２を有し、画面（Ａ５）は第２の階層ＬＢ５を有する。第２の階層ＬＢ２は、画面（Ａ２）に関連した画面（Ｂ２１）〜（Ｂ２ｎ）を有し、ＬＢ５は、画面（Ａ５）に関連した画面（Ｂ５１）〜（Ｂ５ｎ）を有している。
【００７７】
第３の階層ＬＣは、第２の階層ＬＢに属する所定の画面毎に分類された単数または複数の階層で構成される。例えば、画面（Ｂ５１）および画面（Ｂ５２）はそれぞれ、画面（Ｃ５１）および画面（Ｃ５２）が属する第３の階層ＬＣ５を有する。
【００７８】
階層の数は特に限定されず、少なくとも２階層あればよい。また、各階層に属する画面の数は特に限定されず、典型的には、複数であるが、第２の階層以降では単一の画像で構成された階層があってもよい。
【００７９】
ファームウェア４５は、入力キー５３やタッチパネル５５からの出力を受信して、表示部７１に表示される画面を切り替える。典型的には、ファームウェア４５は、タッチパネル５５に入力される操作イベント（操作信号）に基づいて、表示部７１に表示される画面を階層順に切り替える表示制御を実行するように構成される。
【００８０】
またファームウェア４５は、所定条件下におけるタッチパネル５５からの出力、あるいは入力キー５３のうち所定のボタンからの出力等（以下、制御信号ともいう。）に基づいて、現在の表示画面から所定階層内の所定画面へジャンプする表示制御を実行することが可能に構成される。制御信号は、上記所定画面へのアクセスを促すときに出力される。例えば、ファームウェア４５は、所定の入力キー５３の入力操作に基づいて生成される制御信号を受信することで、上位階層の画面を介さずに、下位階層の所定画面を表示部７１に表示させることが可能に構成される。
【００８１】
図７は、コントロールボックス５０の機能ブロック図である。
【００８２】
受信部５１１は、携帯端末３０から送信される種々の通知信号と、カメラボタン５０３等の入力キー５３から出力される操作信号と、タッチパネル５５から出力される操作信号とを受信可能に構成される。表示制御部５１２は、受信部５１１で受信された操作信号に基づいて、表示部７１に表示される画像を切り替え制御する。
【００８３】
コントロールボックス５０は、受信部５１１と、表示制御部５１２とを有する。受信部５１１および表示制御部５１２は、ファームウェア４５あるいはＣＰＵの一部の機能を構成する。また受信部５１１は、局域通信部５４（図２）の一部の機能を構成する。
【００８４】
表示制御部５１２は、第１の表示制御モードと、第２の表示制御モードとを有する。
【００８５】
第１の表示制御モードは、操作イベント（操作信号）に基づいて、第１の画像に関連しない第３の画像から第２の画像を上記第１の画像を介して表示部に表示させる。一方、第２の表示制御モードは、制御信号を受信したときに、上記第３の画像から上記第２の画像を上記第１の画像を介さずに表示部に表示させることを可能とする。
【００８６】
ここで、上記第３の画像は、第１の画像に関連する第２の画像群以外の任意の画像をいう。例えば図６において、第２の画像が画面（Ｂ２２）、第３の画像が画面（Ａ５）である場合、第１の表示制御モードでは、画面（Ａ５）、画面（Ａ２）および画面（Ｂ２２）の順で画面が遷移し、第２の表示制御モードでは、画面（Ａ５）および画面（Ｂ２２）の順で画面が遷移する。第３の画像が画面（Ｃ５１）である場合には、第１の表示制御モードでは、画面（Ｃ５１）、画面（Ｂ５１）、画面（Ａ５）、画面（Ａ２）および画面（Ｂ２２）の順で画面が遷移し、第２の表示制御モードでは、画面（Ｃ５１）および画面（Ｂ２２）の順で画面が遷移する。
【００８７】
上記制御信号の受信時に表示される画面（Ｂ２２），（Ｂ２３）としては、例えば、静止画撮影画面や動画撮影画面が対応する。例えば、カメラボタン５０３の押圧操作により表示画面が静止画撮影操作画面に遷移し、あるいは、カメラボタン５０３の長押し操作により表示画面が動画撮影操作画面に遷移する。
【００８８】
画面（Ｂ２２），（Ｂ２３）の例としては、他にも、音声入力画面、受信メッセージ表示画面、通信設定画面等が該当する。
【００８９】
音声入力画面は、トークボタン５０５の押圧操作により表示部７１に表示される。音声入力画面は、例えば、電子メールや短文投稿サイトにおけるメッセージの入力画面である。この場合、ユーザは、コントロールボックス５０に内蔵されたマイクロフォン（オーディオデバイス部５８）に向けて音声を入力する。ファームウェア４５は、入力された音声をテキスト（文字）に変換して表示部７１に表示可能に構成される。
【００９０】
コントロールボックス５０は、音声入力機能の精度を高めるため、ノイズキャンセル用のマイクロフォンを備えていてもよい。図８に当該コントロールボックスの概略構成を示す。
【００９１】
図８に示すように、コントロールボックス５０は、２つのマイクロフォン５８１，５８２と、加速度センサ５８０とを内蔵する。マイクロフォン５８１，５８２は同一の構成を有し、上下対称な位置にそれぞれ配置される。
【００９２】
ユーザＵは、例えば、把持しているコントロールボックス５０の上部から音声を入力する。このとき、図８上段および下段にそれぞれ示すように、上部に位置するマイクロフォン５８１あるいは５８２が音声を取得する主マイクとして機能し、下部に位置するマイクロフォン５８２あるいは５８１が周囲のノイズをキャンセルするための副マイクとして機能するように構成される。主マイクおよび副マイクの切り替えは、加速度センサ５８０によって検出される重力方向に基づいて行われる。
【００９３】
これにより、コントロールボックス５０の姿勢に関係なく、適正な音声入力機能を確保することができる。なおノイズキャンセル方式は特に限定されず、アクティブノイズコントロール等の種々の方式が採用可能である。
【００９４】
一方、受信メッセージ表示画面は、携帯端末３０で受信したメッセージの閲覧画面である。このとき受信部５１１は、外部機器である携帯端末３０から送信される通知信号を制御信号として受信することが可能に構成される。
【００９５】
ファームウェア４５は、当該制御信号を受信したときに上記閲覧画面を表示部７１に表示可能に構成される。本実施形態においてファームウェア４５は、所定の通知画像が表示されている状態で、所定の操作イベント（例えばタッチパネル５５に対するタップ操作）の入力を受けたとき、上記通知画像に関連する画面を表示部７１に表示させるように構成される。
【００９６】
さらに、通信設定画面は、ウェアラブル機器７０の使用中に局域通信部５４の接続不良が生じたときに表示される画面である。このとき受信部５１１は、局域通信部５４から出力される接続不良信号を制御信号として受信するように構成される。
【００９７】
以上のように本実施形態によれば、特定の画像をシンプルな操作で容易に表示させることができるため、操作性の向上を実現することができる。また、当該画像を迅速に表示させることができるため、操作感あるいは操作の利便性をも高めることができる。
【００９８】
（ウェアラブル機器に表示される画面例）
図９は、ウェアラブル機器７０の表示部７１に表示される画面の例を示す。なお、以降では説明の便宜上、携帯端末３０の処理の主体をコンパニオンアプリ２５とし、コントロールボックス５０の処理の主体をファームウェア４５とする。
【００９９】
本実施形態のウェアラブル機器においては、表示部７１に表示される画像として、階層毎に分類された複数の画像（画面）が含まれる。典型的には、コントロールボックス５０のタッチパネル５５に所定のイベント操作を入力することで、同一階層内における画像の切り替えや階層間の画像の切り替え等が実行される。このような画像の切り替え（画面遷移）は、ファームウェア４５により実行され、ファームウェア４５は、ウェアラブル機器７０の「表示制御部」として機能する。
【０１００】
（カード階層の画面例）
図９上段に示す階層を「カード（Card）階層」という。カード階層２００は、第１の階層ＬＡ（図６）に相当し、例えばデフォルトでホーム画面２１１、カメラ画面２１２および設定画面２１３等を含む、各種のカード画面２１０を含む。また、カード階層２００は、その他、ユーザが登録したアプリ２６（図５参照）のカード画面２１４を含む。
【０１０１】
カード画面２１０は、カード画面全体の領域のうち、例えば概ね下半分の領域に配置されるカード画像２１５を含む。１つのカード画面２１０（および後述するアプリ画面３１０）が占める領域が、表示部７１による表示領域（Viewport）である。以降の説明では、カード画面２１０が占める領域の画像を、「カード画像」という。ここでいうカード画像（ホーム画面２１１のカード画像を除く）とは、アイコンやウィジェットのようなものであり、アプリにアクセスするためのＧＵＩ（Graphical User Interface）である。１つのカード画面２１０につき１つのカード画像２１５が備えられる。
【０１０２】
ユーザは、登録によりカード画面２１０（カード画像２１５）を追加していくことができる。例えばユーザが携帯端末３０を用いてその携帯端末３０にインストールされたアプリ２６に登録操作を行うことにより、コンパニオンアプリ２５がそのアプリ２６に応じたカード画像２１５を生成する。
【０１０３】
アプリに応じたカード画像２１５とは、例えばカード画像２１５内にそのアプリとわかるマークや文字を含む画像である。基本的にはコンパニオンアプリ２５が、自身で生成したカード画像２１５をメモリ３２に格納し、また、ファームウェア４５もそれらのうち所定枚数のカード画像２１５をメモリ５２に格納する。
【０１０４】
コントロールボックス５０内のファームウェア４５は、これらのカード画面２１０を１つずつ表示部７１に表示するように構成される。同一階層内では、ユーザがタッチパネル５５を介して左右スワイプ操作を入力することにより、ファームウェア４５は、順にそれらのカード画面２１０を表示部７１に表示させる。
【０１０５】
なお、カード画面２１０のうち設定画面２１３からアクセス可能な「設定」もアプリケーションソフトウェアの１つであり、このコントロールボックス５０内蔵のデフォルトのアプリである。
【０１０６】
（アプリ階層の画面例）
図９の下段に示す階層を「アプリ階層３００」という。アプリ階層３００は、第２の階層ＬＢ（図６）に相当し、基本的にはカード階層２００を介してアクセスされ得る。アプリ階層３００は、各カード画面２１０のそれぞれのアプリが起動されたアプリ画面（でのアプリ画像）３１０を含む。
【０１０７】
表示部７１は、これらのアプリ画面３１０を１つずつ表示する。ユーザは、カード階層２００を介してアプリ階層３００にアクセスすることができる。ユーザがアプリ階層３００にアクセスする場合、カード階層２００内で選択したカード画面２１０を表示部７１に表示させた状態で、タッチパネル５５をタップ操作する。そうすると、ファームウェア４５は、そのカード画面２１０に対応するアプリ画面３１０を表示部７１に表示させる。
【０１０８】
そのアプリ画面３１０からカード画面２１０に戻る場合、ユーザは、コントロールボックス５０の入力キー５３（図２参照）として設けられたバックボタン５０４を押す。
【０１０９】
また、ユーザは、アプリ階層３００内において任意の１つのアプリ画面３１０が表示されている状態で、タッチパネル５５を左右にスワイプ操作することにより、その１つのアプリ内でアプリ画面３１０を切り替えることができる。例えば、１つのアプリ内の第１の機能と、そのアプリの第１の機能とは異なる機能を有する第２の機能とを切り替えることができる。その機能数（アプリ画像数）は、アプリにより異なる。
【０１１０】
アプリがカメラアプリである場合、図９に示すように、カメラアプリは、第１の機能である静止画撮影モードの画面３１１と、第２の機能であるインターバル撮影モードの画面３１３と、第３の機能である動画撮影モードの画面３１３等を有する。
【０１１１】
なお、ユーザによる指のスワイプ操作の方向と、画像の移動方向とが一致していてもよいし、逆方向であってもよい。これはユーザの設定により変更可能とされる。
【０１１２】
（カード階層内のカード画面の切替処理）
典型的には、携帯端末３０のコンパニオンアプリ２５が、登録されたすべてのカード画像２１５をメモリ３２内に格納する。一方、ファームウェア４５は、それらのうち所定枚数（例えば登録された順に所定枚数に達するまで）のカード画像２１５をコントロールボックス５０内のメモリ５２に格納する。そして、ファームウェア４５は、ユーザによりタッチパネル５５を介して指定されたカード画像２１５をメモリ５２から抽出して表示部７１に表示する。また、ファームウェア４５は、必要に応じてコンパニオンアプリ２５を介して携帯端末３０のメモリ３２からカード画像２１５の送信を要求し、これを受信して表示部７１に表示する。具体的には、ファームウェア４５およびコンパニオンアプリ２５は、以下のように動作する。
【０１１３】
図１０は、カード階層２００内でのカード画面２１０の切り替えの動作を説明するための図である。図１０上に示すように、例えば携帯端末３０のメモリ３２が９枚のカード画像２１５（ａ）〜（ｉ）を格納しているとする。そして、これらのうちコントロールボックス５０のメモリ５２が５枚のカード画像２１５（ｃ）〜（ｇ）を格納しているとする（破線で囲まれた部分）。５枚のカード画像２１５（ｃ）〜（ｇ）は連続するカード画像２１５である。そして、現在、表示部７１には太枠で記載したカード画像２１５（ｅ）が表示されている。なお、カード画像２１５（ｃ）はホーム画面のカード画像である。
【０１１４】
図１０上に示す状態から、ユーザにより、カード画面２１０を左へ移動させるスワイプ操作が入力されたとする。そうすると、ファームウェア４５は、図１０下に示すように、現在表示されているカード画像２１５（ｅ）をカード画像２１５（ｄ）に切り替え、これまで格納していた端部（右端）のカード画像２１５（ｇ）を破棄する。
【０１１５】
また、上記スワイプ操作の入力があった時、ファームウェア４５は、入力された操作情報を携帯端末３０に通知する。コンパニオンアプリ２５は、新たに端部（左端）に位置したカード画像２１５（ｂ）をメモリ３２から抽出してコントロールボックス５０に送信する。ファームウェア４５はこれを受け取りメモリ５２に格納する。
【０１１６】
このようにして、ファームウェア４５は、所定枚数（５枚）のカード画像２１５がメモリ５２に格納されることを維持する。
【０１１７】
このように処理により、コントロールボックス５０内の必要なメモリ容量を削減しながら、あるいは、小容量のメモリを使用してコストを低減しながら、カード画面２１０の切り替えをスムーズに行うことができる。
【０１１８】
なお、コントロールボックス５０は、ホーム画面２１１のカード画像２１５や、カメラアプリ等のデフォルトのアプリの画面のカード画像２１５については、それらを破棄せずそのまま保持しておいてもよい。この場合、コントロールボックス５０は、それらホーム画面２１１以外およびデフォルトのアプリ以外のカード画像２１５を、所定枚数以内でメモリ５２に格納するようにすればよい。
【０１１９】
［ウェアラブル機器で表示される画面の遷移例］
以下、ウェアラブル機器７０の代表的な画面の遷移例について説明する。
【０１２０】
（画面遷移例１）
図１１は、ウェアラブル機器７０の起動時に表示部７１に表示される画面の遷移例を示している。
【０１２１】
電源ボタン５０６の操作により電源がＯＮになると、起動画面（Ｓ００１）が表示される。起動画面には、典型的には、メーカー名や機種名等が表示される。
【０１２２】
所定時間経過後、携帯端末３０とのペアリング情報を有する場合には、携帯端末３０とのペアリング画面（Ｓ００２）が表示される。
【０１２３】
一方、上記ペアリング情報がない場合、必要なアプリのインストール画面（Ｓ００３）が表示され、タッチパネル５５へのタップ操作を経てインストールが実行される。インストール完了後、携帯端末３０からのレスポンスがあれば、数値比較認証画面（Ｓ００４）が表示され、接続要の画面でタップ操作を実行することでペアリング画面（Ｓ００２）へ移行する。
【０１２４】
携帯端末３０とのペアリングが確立すると、接続成功画面（Ｓ００５）に移行し、画面に従ってタップ操作を実行することで、バランス調整画面（Ｓ００６）に移行する。その後、ファームウェア４５のバージョン情報を確認した後、ホーム画面（Ｓ０１１）に移行する。当該ホーム画面は、カード階層２００のホーム画面２１１（図９）に相当する。
【０１２５】
なお、ウェアラブル機器７０と携帯端末３０との接続が失敗した場合等は、所定の接続要求画面（Ｓ００８）が表示される。
【０１２６】
（画面遷移例２）
図１２は、カード階層における画面の遷移例を示している。
【０１２７】
タッチパネル５５への順方向へのスワイプ操作により、ホーム画面（Ｓ０１１）からカメラ画面（Ｓ０１２）、ＳＮＳ画面（Ｓ０１３）、通信設定画面（Ｓ０１４）、設定画面（Ｓ０１５）等に遷移する。詳細は、図９の説明と同様であるので、ここでは省略する。
【０１２８】
（画面遷移例３）
図１３は、カメラ画面（Ｓ０１２）の階層における画面遷移例を示している。
【０１２９】
カメラ画面（Ｓ０１２）でタップ操作を実行すると、起動画面（Ｓ０２１）が表示される。携帯端末３０との接続が確認されると、最初に静止画撮影画面（Ｓ０２３）が表示される。接続ができない場合は、接続不良をアナウンスする画面（Ｓ０２２）へ遷移し、所定時間経過後、カメラ画面（Ｓ０１２）へ復帰する。
【０１３０】
静止画撮影画面（Ｓ０２３）が表示されると、順方向へのスワイプ操作により、インターバル撮影画面（Ｓ０２４）、動画撮影画面（Ｓ０２５）、ソーシャルライブ画面（Ｓ０２６）が順に表示される。バックボタン５０４の押圧によりカメラ画面（Ｓ０１２）に遷移し、バックボタン５０４の長押しによりホーム画面（Ｓ０１１）に遷移する。
【０１３１】
（画面遷移例４）
図１４は、インターバル撮影画面（Ｓ０２４）における画面遷移例を示している。
【０１３２】
インターバル撮影画面（Ｓ０２４）でタップ操作を実行すると、設定画面（Ｓ０３１）が表示される。ここでは、撮影インターバルが設定される。デフォルトでは例えば３０秒であり、タップ操作により撮影が開始され、撮影画像のセーブ画面（Ｓ０３２）に遷移する。撮影画像は、携帯端末３０のメモリに保存される。設定画面（Ｓ０３１）において所定時間以上操作されない場合、カメラ画面（Ｓ０１２）へ戻る。
【０１３３】
撮影画像のセーブが完了すると、撮影枚数や撮影画像を表示画面（Ｓ０３３）へ遷移し、セーブが失敗すると、それをアナウンスする画面（Ｓ０３４）が表示される。
【０１３４】
インターバル撮影モードでは、表示部７１に所定のカーソル画面（Ｓ０３５）が表示される。ユーザの設定により、当該カーソル画面の消灯時間が経過すると、カーソル画面が消失するが、撮影３秒前になると、当該カーソル画像を含むカウントダウン画面（Ｓ０３６）に遷移する。撮影画像は、撮影毎に、携帯端末３０へ保存される。撮影時間が２時間以上となると、設定画面（Ｓ０３１）へ遷移する。
【０１３５】
（画面遷移例５）
図１５は、ソーシャルライブ画面（Ｓ０２５）における画面遷移例を示している。
【０１３６】
ソーシャルライブ画面（Ｓ０２５）でタップ操作を実行すると、スタンバイ画面（Ｓ０４１）に遷移する。そして、カメラボタン５０３の押圧操作により、ストリーミング画面（Ｓ０４２）へ遷移する。撮影された画像は携帯端末３０を介してクラウドシステム１０へアップロードされる。このとき、トークボタン５０５の入力操作により、画像とともに音声もクラウドシステム１０へアップロードされる。設定時間が経過すると、リーディング画面（Ｓ０４３）へ遷移し、視聴者からのコメントが表示される。
【０１３７】
（画面遷移例６）
図１６は、ＳＮＳ画面（Ｓ０１３）における画面遷移例を示している。
【０１３８】
ＳＮＳ画面（Ｓ０１３）でタップ操作を実行すると、認証を経て、閲覧画面（Ｓ０５２）へ遷移する。認証ができない場合、認証を促す画面（Ｓ０５１）が表示される。
【０１３９】
閲覧画面（Ｓ０５２）でスワイプ操作を実行すると、着信順（あるいはそれとは逆）に画面が遷移する。一の閲覧画面でタップ操作を実行すると、当該コメントに対する返信画面Ｓ０５３に遷移する。そこでは、例えばトークボタン５０５を操作することでテキストの音声入力が可能とされる。メッセージの入力後、タップ操作を実行することでメッセージが投稿される。投稿の登録がされなかった場合、その旨をアナウンスする画面（Ｓ０５４）が表示される。その後、再び閲覧画面（Ｓ０５２）に遷移する。
【０１４０】
（画面遷移例７）
図１７は、音声入力画面における画面遷移例を示している。
【０１４１】
例えば任意の閲覧画面（Ｓ０５２）でトークボタン５０５を押圧すると、音声入力を促す画面（Ｓ０６１）に遷移する。ユーザは、トークボタン５０５を押圧した状態でメッセージを音声入力する。トークボタン５０５をリリースすると、音声入力がないときは、操作方法をアナウンスする画面（Ｓ０６２）が表示される。
【０１４２】
入力された音声データは、テキスト画面（Ｓ０６３）に表示される。修正が必要な場合は、スワイプ操作によって編集画面（Ｓ０６４）へ移行し、所定の文字をスワイプ操作で指定する。修正が完了すると、テキスト画面（Ｓ０６３）でタップ操作を実行し、テキストの確認画面（Ｓ０６５）に遷移する。所定時間経過後、投稿が実行される。投稿できなかった場合、その旨をアナウンスする画面（Ｓ０６６）が表示される。その後、元の閲覧画面（Ｓ０５２）へ復帰する。
【０１４３】
（画面遷移例８）
図１８は、局域通信部（Bluetooth（登録商標））の設定画面における画面遷移例を示している。
【０１４４】
通信設定画面（Ｓ０１４）をタップ操作する、あるいは、通信が遮断されると、メニュー画面（Ｓ０７１）に遷移する。設定モードに合わせてタップ操作を実行すると、設定画面（Ｓ０７２）へ遷移する。設定画面においては、アドレス設定モードとペアリング実行モードとがスワイプ操作によって選択可能に構成される。
【０１４５】
アドレス設定モードが選択されると、通信局のアドレス入力画面（Ｓ０７３）が表示される。一方、ペアリング設定モードが選択されると、ペアリング実行画面（Ｓ０７４）へ遷移し、レスポンスがあれば、数値比較認証画面（Ｓ０７４）に遷移する。接続後、所定の場合にアプリケーションのバージョンアップが実行される。
【０１４６】
（画面遷移例９）
図１９は、ワンタッチ起動操作における画面遷移例を示している。
【０１４７】
ウェアラブル機器７０は、電源ＯＦＦ時、コントロールボックス５０と携帯端末３０とのＮＦＣ通信により電源が自動的にＯＮとなるように構成される。この起動モードにおいては、起動画面（Ｓ００１）の表示後、ペアリングが不成立の場合に自動的に数値比較認証画面（Ｓ０８２）へ遷移する。以降の画面遷移は、起動時の画面遷移例（図１１）と同様であるため、説明は省略する。
【０１４８】
（画面遷移例１０）
図２０は、携帯端末３０のワンタッチ切り替え操作における画面遷移例を示している。
【０１４９】
任意の画面（Ｓ０９１）の表示中において、コントロールボックス５０を他の携帯端末へ接近させてＮＦＣ通信させると、現在接続中の携帯端末３０との通信を切断し、その旨をアナウンスする画面（Ｓ０９２）に遷移する。その後、自動的に当該他の携帯端末とのペアリングが実行され、レスポンスがあったときに数値比較認証画面（Ｓ０９３）に遷移する。以降の画面遷移は、起動時の画面遷移例（図１１）と同様であるため、説明は省略する。
【０１５０】
（画面遷移例１１）
図２１は、ディスプレイ自動オフ動作における画面遷移例を示している。
【０１５１】
ウェアラブル機器７０は、無操作時間が予め設定された自動消灯時間を経過し、かつ、カメラモード（静止画撮影、ビデオ撮影）の起動中でないときは、任意の画面（Ｓ１０１）から自動的に無表示画面（Ｓ１０２）へ遷移する。
【０１５２】
（画面遷移例１２）
図２２は、ディスプレイ自動オン動作における画面遷移例を示している。
【０１５３】
無表示画面（Ｓ１０２）において、携帯端末３０から所定のイベント（制御信号）が入力されると、当該イベントに応じた処理が自動的に実行される。例えば、バージョンアップがホスト側で指示されたときに表示されるアップデート開始画面（Ｓ１１２）、インターバル撮影モードにおけるカウントダウン表示画面（Ｓ０３６）、電話着信時における着信画面（Ｓ１１４）、電話発信時における発信画面（Ｓ１１５）、通信遮断時における接続回復画面（Ｓ０７１）等が、自動的に表示される。
【０１５４】
また、ユーザが静止あるいは歩行中のときは、着信した各種メッセージの送信者表示画面（Ｓ１１７）に遷移する。当該画面は、所定時間間隔で次画面に遷移するように構成される。入力キー５３のホールド操作していないときは、任意の送信者表示画面でタップ操作を実行することで、内容を表示した閲覧画面Ｓ１１８に遷移し、ホールド操作しているときはホールド中であることをアナウンスする画面（Ｓ１１９）が表示される。
【０１５５】
これらの画面遷移例は、上位階層を介さずに目的とする階層の画面へジャンプさせる表示制御機能の一具体例である。
【０１５６】
（画面遷移例１３）
図２３は、ディスプレイ自動オン動作における他の画面遷移例を示している。
【０１５７】
無表示画面（Ｓ１０２）において、入力キーがホールド操作されていないとき、ディスプレイボタン５０７あるいはカメラボタン５０３が入力されると自動的に対応する画面への遷移処理が実行される。
【０１５８】
例えば、ディスプレイボタン５０７が入力されると、消灯前に表示されていた前回の画面（Ｓ１２１）が表示される。また、カメラボタン５０３が入力されると、インターバル撮影中である場合には、カメラモードの切り替え画面（Ｓ１２２）に遷移し、ユーザの選択（タップ操作）により、静止画撮影画面（Ｓ０２３）、インターバル撮影画面（Ｓ０２４）あるいは動画撮影画面（Ｓ０２５）に遷移する。
【０１５９】
これらの画面遷移例は、上位階層を介さずに目的とする階層の画面へジャンプさせる表示制御機能の一具体例である。
【０１６０】
（画面遷移例１４）
図２４は、携帯端末３０からの通知信号受信時における画面遷移例を示している。
【０１６１】
任意の画面（Ｓ１３２）の表示中において、バージョンアップ指示、着信あるいは発信イベントが発生した場合、これらイベントに対応した操作画面（Ｓ１１２，Ｓ１１４，Ｓ１１５）に遷移する。これらの画面遷移例は、上位階層を介さずに目的とする階層の画面へジャンプさせる表示制御機能の一具体例である。
【０１６２】
（画面遷移例１５）
図２５は、携帯端末３０との通信接続回復動作における画面遷移例を示している。
【０１６３】
任意の画面（Ｓ１４２）が非設定画面である場合、携帯端末３０との通信との接続が遮断されるとそれをアナウンスする画面（Ｓ１４３）に遷移し、所定時間経過後、再接続画面（Ｓ１４４）へ遷移する。再接続中に接続中断処理を実行すると、接続遮断画面（Ｓ１４４）が表示される。接続が成功すると、接続された携帯端末の機種表示画面（Ｓ１４５）が表示され、所定時間経過後、もとの画面（Ｓ１４２）へ復帰する。
【０１６４】
この画面遷移例は、上位階層を介さずに目的とする階層の画面へジャンプさせる表示制御機能の一具体例である。
【０１６５】
（画面遷移例１６）
図２６は、例えば携帯端末３０からの通知信号を受信したときにおける画面遷移例を示している。
【０１６６】
任意の画面あるいは無表示画面（Ｓ１５１）において携帯端末３０から電子メール等の着信通知信号が受信されると、当該画面の所定位置に、所定周期で点滅する通知画像１５０ａが表示される。その後、所定時間だけ連続点灯する通知画像１５０ｂに遷移する。ユーザは、当該通知画像１５０ａ，１５０ｂの表示時に所定の操作を入力することで、メール受信画面（閲覧画面）を表示させることができる。
【０１６７】
（画面遷移例１７）
図２７は、ウェアラブル機器７０の電源ＯＦＦ時における画面遷移例を示している。
【０１６８】
任意の画面（Ｓ１６１）が表示されている状態において、電源ボタン５０６をオフ操作することで、画面が消灯する（Ｓ１６２）。なお、無表示画面において電源ボタン５０６がオフ操作されると、任意の画面（例えば、消灯前に表示されていた画面）が所定時間表示されたのち、画面が消灯する。
【０１６９】
以上、本技術の実施形態について説明したが、本技術は上述の実施形態にのみ限定されるものではなく、本技術の要旨を逸脱しない範囲内において種々変更を加え得ることは勿論である。
【０１７０】
なお、本技術は以下のような構成もとることができる。
（１）階層毎に分類された複数の画像を切り替え表示するように構成された表示部と、
第１の階層に属する第１の画像から、前記第１の画像に関連し前記第１の画像よりも下位の第２の階層に属する第２の画像を前記表示部に表示させる操作イベントが入力されるように構成された第１の操作部を有する操作ユニットと、
前記第２の画像へのアクセスを促す制御信号を受信することが可能に構成された受信部と、
前記操作イベントに基づいて前記第１の画像に関連しない第３の画像から前記第２の画像を前記第１の画像を介して前記表示部に表示させる第１の表示制御モードと、前記制御信号を受信したときに前記第３の画像から前記第２の画像を前記第１の画像を介さずに前記表示部に表示させることを可能とする第２の表示制御モードとを選択的に実行するように構成された表示制御部と
を具備するウェアラブル機器。
（２）上記（１）に記載のウェアラブル機器であって、
前記操作ユニットは、入力操作により前記制御信号を生成する第２の操作部をさらに有し、
前記表示制御部は、前記第２の操作部の入力操作時に前記所定の階層に属する画像を前記表示部に表示させるように構成される
ウェアラブル機器。
（３）上記（２）に記載のウェアラブル機器であって、
前記第２の操作部により操作可能な撮像部をさらに具備し、
前記表示制御部は、前記第２の操作部の入力操作に基づいて、前記撮像部の操作画面を前記表示部に表示させるように構成される
ウェアラブル機器。
（４）上記（１）〜（３）のいずれか１つに記載のウェアラブル機器であって、
前記受信部は、前記制御信号を外部機器から受信することが可能に構成され、
前記表示制御部は、前記制御信号を受信したときに前記表示部に所定の通知画像を表示させるように構成される
ウェアラブル機器。
（５）上記（４）に記載のウェアラブル機器であって、
前記表示制御部は、前記所定の通知画像が表示された状態で所定の操作イベントの入力を受けたとき、前記通知画像に関連する画面を前記表示部に表示させるように構成される
ウェアラブル機器。
（６）階層毎に分類された複数の画像を切り替え表示するように構成された表示部を有するウェアラブル機器を制御するための制御装置であって、
第１の階層に属する第１の画像から、前記第１の画像に関連し前記第１の画像よりも下位の第２の階層に属する第２の画像を前記表示部に表示させる操作イベントが入力されるように構成された第１の操作部を有する操作ユニットと、
前記第２の画像へのアクセスを促す制御信号を受信することが可能に構成された受信部と、
前記操作イベントに基づいて前記第１の画像に関連しない第３の画像から前記第２の画像を前記第１の画像を介して前記表示部に表示させる第１の表示制御モードと、前記制御信号を受信したときに前記第３の画像から前記第２の画像を前記第１の画像を介さずに前記表示部に表示させることを可能とする第２の表示制御モードとを選択的に実行するように構成された表示制御部と
を具備する制御装置。
（７）上記（６）に記載の制御装置であって、
前記操作ユニットは、入力操作により前記制御信号を生成する第２の操作部をさらに有し、
前記表示制御部は、前記第２の操作部の入力操作時に前記所定の階層に属する画像を前記表示部に表示させるように構成される
制御装置。
（８）上記（６）または（７）に記載の制御装置であって、
前記操作ユニットは、側周面の一部に切欠き部を有する筐体をさらに有し、
前記第１の操作部は、前記切欠き部に配置された静電容量センサで構成され、
前記第２の操作部は、前記筐体の側周面に配置された複数の入力キーを含む
制御装置。
（９）上記（８）に記載の制御装置であって、
前記複数の入力キーは、前記ウェアラブル機器に搭載された撮像部を動作させる入力ボタンを含む
制御装置。
【符号の説明】
【０１７１】
３０…携帯端末
４５…ファームウェア
５０…コントロールボックス
５５…タッチパネル
５２…メモリ
７０…ウェアラブル機器
７１…表示部
１００…情報処理システム
２００…カード階層
２１０…カード画面
３００…アプリ階層
３１０…アプリ画面
【図１】
2015158753.tif 000003
【図２】
2015158753.tif 000004
【図３】
2015158753.tif 000005
【図４】
2015158753.tif 000006
【図５】
2015158753.tif 000007
【図６】
2015158753.tif 000008
【図７】
2015158753.tif 000009
【図８】
2015158753.tif 000010
【図９】
2015158753.tif 000011
【図１０】
2015158753.tif 000012
【図１１】
2015158753.tif 000013
【図１２】
2015158753.tif 000014
【図１３】
2015158753.tif 000015
【図１４】
2015158753.tif 000016
【図１５】
2015158753.tif 000017
【図１６】
2015158753.tif 000018
【図１７】
2015158753.tif 000019
【図１８】
2015158753.tif 000020
【図１９】
2015158753.tif 000021
【図２０】
2015158753.tif 000022
【図２１】
2015158753.tif 000023
【図２２】
2015158753.tif 000024
【図２３】
2015158753.tif 000025
【図２４】
2015158753.tif 000026
【図２５】
2015158753.tif 000027
【図２６】
2015158753.tif 000028
【図２７】
2015158753.tif 000029